(57)【要約】【課題】はさみ、カッターや裁断機等の道具がなくても、きれいに紙を切り離すことができるようにする。【解決手段】紙が完全に切り離されることのないように、ギザギザ状になっている、持ち手のついた刃Ｋ１２、Ｋ２４、Ｋ３１、Ｋ４５を下方に押し込んだり、横方向にスライドさせたりして、紙を切り離すときにはさみ、カッターや裁断機等の道具がなくても、紙を簡単に切り離すことができるようにするための、ミシン目状の切り取り線Ｋ５１を、紙に自由に入れる。【選択図】図４
2004098287.tif 000002
【特許請求の範囲】
【請求項１】
　紙に切り取り線を入れる装置
【発明の詳細な説明】
【技術分野】
【０００１】
　本発明は、紙を簡単に切り離すことができるようにするための、ミシン目状の切り取り線を入れる装置に関するものである。
【０００２】
　主に、会社、店舗、学校や家庭で使う文房具、事務用品として利用するものである。
【背景技術】
【０００３】
　切り取り線を筆記用具で書いたり、印刷したりして、ここを切り取って下さいという目印を紙に入れることはできる。
【０００４】
　しかし、筆記用具で書かれたり、印刷されたりしている、ここを切り取って下さいという目印である切り取り線にそって紙を切り離す場合、はさみ、カッターや裁断機などの道具がないと、きれいに切り離せない。
【０００５】
　一方、これまでも、ミシン目状の切り取り線が入った紙は存在していた。
【０００６】
　しかし、それらは、あらかじめ切り取り線が入っている紙に後から内容を書き込んだり印刷したりして使用するものであり、紙を簡単に切り離すことができるようにするためのミシン目状の切り取り線を、後から自由に入れる装置はなかった。
【非特許文献１】「広辞苑　第五版」岩波書店　１９９８年
【発明の開示】
【発明が解決しようとする課題】
【０００７】
　解決しようとする課題は、筆記用具で書かれたり、印刷されたりしている、ここを切り取って下さいという目印である切り取り線にそって紙を切り離すとき、はさみ、カッターや裁断機等の道具がないと、きれいに切り離すことが困難だという点である。
【０００８】
　解決しようとするもう１つの課題は、紙をはさみ等の道具がなくても、簡単に切り離すことができるようにするための、ミシン目状の切り取り線を、自由に入れることは困難だという点である。
【課題を解決するための手段】
【０００９】
　本発明は、紙を切り離すときにはさみ、カッターや裁断機等の道具がなくても、簡単に切り離すことができるようにするために、紙の上でギザギザ状になっている刃を下方に押し込んだり、横方向にスライドしたりして、ミシン目状の切り取り線を自由に入れることを、最も主要な特徴とする。
【発明の効果】
【００１０】
　紙を切り離すときにはさみ、カッターや裁断機等の道具がなくても、簡単に切り離すことができるようにするための、ミシン目状の切り取り線を、自由に入れることができるようになる。
【００１１】
　主に、文房具店、事務用品店等で、新商品として発売されると考えられる。
【発明を実施するための最良の形態】
【００１２】
　本発明品の形態は、装置として、机上や作業台に固定して使用するタイプと、携帯できるように、持ち運べる程度の大きさの道具として使用するタイプの２種類に設計される。どちらも、同じ機能を持つ。
【００１３】
　ただし、形態は、上記の２種類に限定せず、改良の可能性を含む。
【実施例１】
【００１４】
　図１は、机上や作業台に固定して使用するタイプの本発明の装置の、本体イメージである。
【００１５】
　装置の上の指定位置Ｋ１１に、切り取り線を入れたい紙を置き、持ち手のついた刃Ｋ１２を下方に押し込むと、紙に切り取り線が入る。
【００１６】
　刃Ｋ１２は、紙が完全に切り離されることのないように、ギザギザ状になっている。
【００１７】
　Ｋ１３は、刃を下方に押し込む時に、紙がぐちゃぐちゃにならないように、ゴムなどの滑りにくい素材を用いて、紙を固定するための仕組みである。
【００１８】
　図２も、机上や作業台に固定して使用するタイプの本発明の装置の、本体イメージである。
【００１９】
　装置の上の指定位置Ｋ２１に、切り取り線を入れたい紙を置き、持ち手のついた刃Ｋ２２をレールＫ２３にそって横方向にスライドすると、紙に切り取り線が入る。
【００２０】
　Ｋ２４は、スライドさせる持ち手のついた刃を、下側から見た図である。紙が完全に切り離されることのないように、ギザギザ状になっていて、回転しながら紙に切り取り線を入れる。
【００２１】
　Ｋ２５は、刃を横方向にスライドする時に、紙がぐちゃぐちゃにならないように、ゴム等の滑りにくい素材を用いて、紙を固定するための仕組みである。
【００２２】
　図３は、持ち運べる程度の大きさの道具として使用するタイプの本発明の装置の、本体イメージである。
【００２３】
　切り取り線を入れたい紙を机の上等に置き、本体を紙に添えて、カッターで紙を切る要領で横方向にスライドすると、紙に切り取り線が入る。
【００２４】
　刃Ｋ３１は、紙が完全に切り離されることのないように、ギザギザ状になっていて、回転しながら紙に切り取り線を入れる。
【００２５】
　横方向にスライドするときに、握った手が滑りにくくするために、ゴム等の滑りにくい素材を使って、持ち手Ｋ３２をつける。
【００２６】
　図４も、持ち運べる程度の大きさの道具として使用するタイプの本発明の装置の、本体イメージである。
【００２７】
　図３で説明した装置では、きれいにまっすぐな切り取り線を入れるためには、定規などを添えて使用しなければならない。そこで、この図４で説明する本体は、定規のようになっすぐな薄い板状のものＫ４１に、真ん中に直線状の切り込みＫ４２を入れて、その切り込みにそって動くように持ち手のついた刃Ｋ４３とレールＫ４４を取り付ける。
【００２８】
　使用するときは、紙の切り取り線を入れたい部分に本体の切り込みをあわせて机の上等に置き、刃の持ち手Ｋ４３をレールＫ４４にそって横方向にスライドすると、紙に切り取り線が入る。
【００２９】
　Ｋ４５は、スライドさせる持ち手のついた刃を、下側から見た図である。紙が完全に切り離されることのないように、ギザギザ状になっていて、回転しながら紙に切り取り線を入れる。
【００３０】
　Ｋ４６は、刃を横方向にスライドする時に、紙がぐちゃぐちゃにならないように、ゴム等の滑りにくい素材を用いて、紙を固定するための仕組みである。紙のあたる本体の裏側にもこの仕組みが施されている。
【００３１】
　図５は、本装置を使って紙に切り取り線を入れたときのイメージである。
【００３２】
　懇談会を開催する方が、懇談会に出席して欲しい方々に、出欠の確認のために出欠票を配布する場面である。
【００３３】
　開催する方が出欠票を配布する時点では、紙の出欠票の部分を切り離せないが、受け取った方は出欠票の部分を切り離して提出する。
【００３４】
　そこで、開催する方が、あらかじめミシン目状の切り取り線Ｋ５１を入れてから、懇談会に出席して欲しい方々に配布するのである。
【００３５】
　次の文は、岩波書店「広辞苑　第五版」からの引用である。ミシン　紙の切取線などにする点線状の孔。
【００３６】
　本明細書で使用している用語や表現は、あくまでも説明上のものであって、限定的なものではなく、他の表現方法を除外する意図はない。また、本発明の技術思想の範囲内で、様々な変形様態が可能であるということは言うまでもない。
【産業上の利用可能性】
【００３７】
　本発明により作られる製品は、主に、文房具店、事務用品店等で、新商品として発売されると考えられる。
【図面の簡単な説明】
【００３８】
【図１】机上や作業台に固定して使用するタイプの本発明のうち、持ち手のついた刃を下方に押し込むと、紙に切り取り線が入る装置の、本体イメージである。
【図２】机上や作業台に固定して使用するタイプの本発明のうち、持ち手のついた刃を横方向にスライドすると、紙に切り取り線が入る装置の、本体イメージである。
【図３】持ち運べる程度の大きさの道具として使用するタイプの本発明のうち、カッターで紙を切る要領で横方向にスライドすると、紙に切り取り線が入る装置の、本体イメージである。
【図４】持ち運べる程度の大きさの道具として使用するタイプの本発明のうち、横方向にスライドすると、紙に切り取り線が入る装置の、本体イメージである。
【図５】本装置を使って紙に切り取り線を入れたときのイメージである。
【符号の説明】
【００３９】
　Ｋ１１　　切り取り線を入れたい紙を、装置の上に置くときの位置
　Ｋ１２　　紙が完全に切り離されることのないように、ギザギザ状になっている、切り取り線を入れるための、持ち手のついた刃
　Ｋ１３　　刃を下方に押し込む時に、紙がぐちゃぐちゃにならないように、ゴム等の滑りにくい素材を用いて、紙を固定するための仕組み
　Ｋ２１　　切り取り線を入れたい紙を、装置の上に置くときの位置
　Ｋ２２　　紙が完全に切り離されることのないように、ギザギザ状になっている、切り取り線を入れるための、持ち手のついた刃
　Ｋ２３　　刃を横方向にまっすぐに動かすためのレール
　Ｋ２４　　スライドさせる持ち手のついた刃を、下側から見た図
　Ｋ２５　　刃を横方向にスライドする時に、紙がぐちゃぐちゃにならないように、ゴム等の滑りにくい素材を用いて、紙を固定するための仕組み
　Ｋ３１　　紙が完全に切り離されることのないように、ギザギザ状になっていて、回転しながら紙に切り取り線を入れる刃
　Ｋ３２　　握った手を滑りにくくするために、ゴム等の滑りにくい素材を使った持ち手
　Ｋ４１　　定規のようになっすぐな薄い板状の本体
　Ｋ４２　　本体の真中に設計された、直線状の切り込み
　Ｋ４３　　紙が完全に切り離されることのないように、ギザギザ状になっている、切り取り線を入れるための、持ち手のついた刃
　Ｋ４４　　刃を横方向にまっすぐに動かすためのレール
　Ｋ４５　　スライドさせる持ち手のついた刃を、下側から見た図
　Ｋ４６　　刃を横方向にスライドする時に、紙がぐちゃぐちゃにならないように、ゴム等の滑りにくい素材を用いて、紙を固定するための仕組み
　Ｋ５１　　本発明により紙に入れられた、ミシン目状の切り取り線の例
【図１】
2004098287.tif 000003
【図２】
2004098287.tif 000004
【図３】
2004098287.tif 000005
【図４】
2004098287.tif 000006
【図５】
2004098287.tif 000007